(57)【要約】【課題】構成が簡単で、製造コストが安価であるにも拘らず、浮上油を適切に回収でき、残査粒子を簡単に清掃できる油回収装置を提供する。【解決手段】油回収装置１は、貯留槽２内に配設し少なくとも一部が水面に対し垂直状に形成された油分誘導板３を備える。油回収装置１は、貯留槽２内の排水の水面に浮上した浮上油を回収する油回収容器４を備える。油回収装置１は、板部１２と取手部１０を有する操作体５を備える。作業者は、取手部１０を持って操作体５を操作することにより、板部１２を油分誘導板３に向けて移動させた後にこの油分誘導板３と接触させた状態で上動させる。すると、浮上油は、油分誘導板３に沿って上方に流れた後、油回収容器４内に落下する。油分誘導板３は、貯留槽２から簡単に取り除くことができる。すると、貯留槽２内は、水と残査粒子のみとなり、清掃が簡単にできる。【選択図】図１
2011235217.tif 000002
【特許請求の範囲】
【請求項１】
貯留槽内に配設され、少なくとも一部が水面に対し垂直状に形成された油分誘導板と、前記貯留槽内の排水の水面上に浮上した浮上油が回収される油回収容器と、取手部および板部を有する操作体とを備え、作業者が前記取手部を持って前記操作体を操作することにより、前記板部を前記油分誘導板に向けて移動させた後に、この油分誘導板と接触させた状態で上動させた場合に、浮上油が前記油分誘導板に沿って押し上げられて、前記油回収容器に回収されることを特徴とする油回収装置。
【請求項２】
貯留槽内に配設され、操作体の板部を案内する板部誘導案内体を備えることを特徴とする請求項１記載の油回収装置。
【請求項３】
操作体の前記板部は、少なくとも下部に水平方向に並ぶ複数の排水逃し用穴部を有することを特徴とする請求項１または２記載の油回収装置。
【請求項４】
油分誘導板は、貯留槽内に傾斜水平状に配設されることを特徴とする請求項１ないし３のいずれか一記載の油回収装置。
【請求項５】
油分誘導板は、貯留槽内にて脱着できることを特徴とする請求項１ないし４のいずれか一記載の油回収装置。
【発明の詳細な説明】
【技術分野】
【０００１】
本発明は、貯留槽内の排水の水面上に浮上した浮上油を回収するための油回収装置に関する。
【背景技術】
【０００２】
従来、例えば特許文献１に記載された油回収装置が知られている。
この従来の油回収装置は、貯留槽内の浮上油を、固定された回転軸とロール弾性板が回転しながら回収し、ロール弾性板に付着した浮上油はスクレーパにて掻き取られて、浮上油が回収される油回収容器とを備えている。
【先行技術文献】
【特許文献】
【０００３】
【特許文献１】特開２０００−１５３２６９号公報
【発明の概要】
【発明が解決しようとする課題】
【０００４】
しかしながら、上記従来の油回収装置では、構成が複雑で、製造コストが高くなるばかりでなく、浮上油にラードなどの固形化しやすい油脂が含まれる場合、浮上油が回収ロールの全体に付着固形化が進み蓄積し、また、スクレーパにも同じ現象が発生し、浮上油を適切に回収できないおそれもある。また、油回収装置内部に残渣粒子等が多量に蓄積する場合、簡易に清掃することができないおそれもある。
【０００５】
本発明は、このような点に鑑みなされたもので、構成が簡単で、製造コストが安価であるにも拘らず、浮上油を適切に回収でき、また簡易に清掃できる油回収装置を提供することを目的とする。
【課題を解決するための手段】
【０００６】
請求項１記載の油回収装置は、貯留槽内に配設され少なくとも一部が水面垂直状に形成された油分誘導板と、前記貯留槽内の排水の水面上に浮上した浮上油が回収される油回収容器と、取手部および板部を有する操作体とを備え、作業者が前記取手部を持って前記操作体を操作することにより、前記板部を前記油分誘導板に向けて移動すると、水中垂直形状を有する油分誘導板に沿って浮上油が押し上げられて前記油回収容器に回収されるものである。
【０００７】
請求項２記載の油回収装置は、操作体の板部を案内する板部誘導案内体を備えるものである。
【０００８】
請求項３記載の油回収装置は、請求項１または２記載の油回収装置において、操作体の板部は少なくとも下部に水平方向に並ぶ複数の排水逃し用穴部を有するものである。
【０００９】
請求項４記載の油回収装置は、請求項１ないし３のいずれか一記載の油回収装置において、油分誘導板は貯留槽内に傾斜水平状に配設され浮上油を適切に回収することができるものである。
【００１０】
請求項５記載の油回収装置は、請求項１ないし４のいずれか一記載の油回収装置において、油分誘導板は、貯留槽内にて脱着できるものである。
【発明の効果】
【００１１】
請求項１に係る発明によれば、作業者が取手部を持って操作体を操作することにより板部を油分誘導板に向けて移動させた後にこの油分誘導板と接触させて状態で上動させた場合に、浮上油が油分誘導板に沿って押し上げられて油回収容器に回収させる構成であるため、構成が簡単で、製造コストが安価であるにも拘らず、浮上油を適切に回収できる。
【００１２】
請求項２に係る発明によれば、貯留槽内に配設され操作体の板部を案内する板部誘導案内体を備えるため、操作体の板部を油分誘導板に向けて適切に移動させることができる。
【００１３】
請求項３に係る発明によれば、操作体の板部は少なくとも下部に水平方向に並ぶ複数の排水逃し用穴部を有するため、浮上油とともに排水が油回収容器に回収されてしまうことを適切に抑制できる。
【００１４】
請求項４に係る発明によれば、油分誘導板は貯留槽内に傾斜水平上に配設されるため、浮上油をより一層適切に回収することができる。
【００１５】
請求項５に係る発明によれば、油分誘導板は、貯留槽内にて簡易に脱着することができるので、貯留槽内に蓄積する残渣粒子物を簡易に清掃することができる。
【図面の簡単な説明】
【００１６】
【図１】本発明の一実施の形態に係る油回収装置の平面図である。
【図２】図１のＩＩ−ＩＩ断面図である。
【図３】同上油回収装置の作用図である。
【図４】図３に続く作用図である。
【図５】図４に続く作用図である。
【図６】図５に続く作用図である。
【発明を実施するための形態】
【００１７】
本発明の一実施の形態に係る油回収装置について図面を参照して説明する。
図１ないし図２において、１は油回収装置で、この油回収装置１は、例えば厨房排水（例えば食物残汁、調理汁、食器類の洗浄排水）等の排水に含まれる油を水との比重差でその排水の水面上に分離浮上させ、この浮上した浮上油Ｂを回収する装置である。油回収装置１は、比較的小型なもので、例えば厨房に設置した業務用シンクのシンク槽部（図示せず）の下方に設置される。なお、図１に示す矢印の方向を前後方向および左右方向として以下説明する。
【００１８】
油回収装置１は、業務用シンクのシンク槽部から接続管７を通って流れてくる油を含んだ排水が流入しこの流入した排水が一時的に貯留される排水貯留容器等の貯留槽２を備えている。
貯留槽２は、上面開口部２−１を有する上面開口状の略箱形状のもので、上部端部がシンク槽部に接続された接続管７を固定する接続流入口６が備えられている。
貯留槽２の側面一端部にオーバーブロー排水口８に排水出口管が接続されている。オーバーブロー排水口８に接続された排水出口管の下流端部は、例えばグリーストラップ（図示せず）に接続されている。
【００１９】
また、油回収装置１は、貯留槽２の前方に、この貯留槽２に近接して配設され、貯留槽２内の排水の水面上Ｃに浮上した浮上油Ｂが、回収収容される、油回収容器４を備えている。油回収容器４は、上面開口状の略箱形状のもので、油回収容器４の高さ寸法は貯留槽２の高さ寸法より低く、油回収容器４の上面開口部が貯留槽２の上面開口より低い位置に配設されている。
【００２０】
また、油回収装置１は、油分誘導板３が配設されている。
油分誘導板３は、貯留槽２の上面開口部２−１の前側上端部を境として、上面開口部２−１の前側上端部よりも前側の油分案内部３−１と、上面開口部２−１の前側上端部よりも後側の油分誘導部３−２を備えている。
油分案内部３−１は、貯留槽２の前側上端部と油回収容器４の後側上端部に近接した状態で水平方向に対して傾斜状、すなわち例えば水平方向に対して急勾配の前下がり傾斜状に配置されている。つまり、油分案内部３−１は、貯留槽２の前側外面側に、上端部から下端部に向って徐々に貯留槽２の前側から離れるように傾斜している。また、油分案内部３−１は、貯留槽２の前側と略同じ幅寸法を有する左右方向長手状のもので、油分誘導板３の上端部が、貯留槽２の上面開口部２−１の前側上端部に接し、油分案内部３−１の下端部が油回収容器４内に位置している。
油分誘導部３−２は、貯留槽２内の前側に近接した状態で水平方向に対して傾斜状、すなわち例えば水平方向に対して急勾配の前上がり傾斜状に配設されている。つまり、油分誘導部３−２は、貯留槽２の前側の内面側に、上端部から下端部に向って徐々に貯留槽２の前側から離れるように傾斜して固設されており、油分誘導部３−２の上端側が貯留槽２内の排水の水面より上方に位置し、油分誘導部３−２の下端側が貯留槽２内の排水の水面より下方に位置するようになっている。なお、油分誘導部３−２の貯留槽２内の排水の水面より下方に位置する部分の一部は、例えば、貯留槽の底部に対し、垂直状に配設されている。
【００２１】
また、油回収装置１は、貯留槽２内の浮上油Bを掬うための操作体５を備えている。操作体５は、水面に対し鉛直状に配設された板部１２と、油回収をする作業者（図示せず）が操作体を把持する取手部１０、これら取手部１０と板部１２とを連結するスキール棒１１を有する。  
操作体５は、貯留槽２内の排水の水面上に浮上した浮上油Ｂを掬い上げて油回収容器４に導き入れるためのもので、例えば平面視で略Ｔ字状に形成されている。つまり、操作体５は長手状のスキール棒１１を有し、このスキール棒１１の前端部に作業者が手で把持する取手部１０の下端部が固定され、このスキール棒１１の後端部に例えば弾性変形可能なゴム製の板部（スキール板等）１２の上端部の左右方向中央部が固定されている。この板部１２は、左右方向に細長い略矩形板状に形成されている。板部１２は、排水逃がし用穴部１２−１を備える。
【００２２】
また、油回収装置１は、操作体５の板部１２を水平方向に案内する板部誘導案内体９を備えている。
板部誘導案内体９は、操作体５の板部１２を水平方向に案内するもので、例えば貯留槽２内の左右両側に水平状に配設され互いに並行に位置する前後方向の長手状の複数、例えば２本の案内部材９−１を備える。
そして、この油回収装置１は、油回収作業をする作業者（図示せず）が操作体５の取手部１１を持って操作体５を操作することにより鉛直状の板部１２を油分誘導板３に向けてこの油分誘導板３と接触するまで板部誘導案内体９の案内に沿って前方に移動させた後に油分誘導板３と接触させた状態で上動させた場合に、排水を排水逃し用穴部１２−１から貯留槽２内に逃しつつ浮上油Ｂのみが油分誘導板３に沿って押し上げられて油回収容器４に回収される構成となっている。なお、浮上油Ｂのみが回収されるとは、浮上油Ｂとともに若干の排水が回収される場合も含む意味である。
【００２３】
次に、油回収装置１の作用等を説明する。
図２等に示されるように、業務用シンクのシンク槽部から排出された排水流入Aは、接続管７を流れて貯留槽２内に流入する。
流入した排水は貯留槽２内で一時的に貯留され、この排水中の油は水との比重差で浮上分離により除去され、この浮上分離された油が浮上油Ｂとなる。
このとき、操作体５は、取手部１０が貯留槽２の上面開口部２−１の前側上端部の左右方向中央部上に載置されかつ板部１２が板部誘導案内体９により、貯留槽２の上面開口部２−１の左右の上端部上に載置されて待機位置に位置決めされた待機常態となっており、この板部１２の略下半部は排水の水面下に位置している。
そして、例えば貯留槽２内の浮上油Ｂが所定量以上になると、作業者は、操作体５を用いて、貯留槽２内の浮上部Ｂを油回収容器４内に移す。
つまり、作業者は、まず図３および図４に示すように、操作体５の取手部１０を持ち、操作体５全体を手前に引っ張るようにして、鉛直状の板部１２を油分誘導板３に向けてこの油分誘導板３と接触するまで板部誘導案内体９の案内に沿って前方へスライド移動させる。
この際、浮上油Ｂは、油分誘導板３の油分誘導部３−２の平板に沿って押し上げられ、この油分誘導部３−２を乗り越えた後、油分案内部３−１にて案内されて油回収容器４内に自重落下して回収される。排水の一部は、図中の矢印のように、操作体５の板部１２の排水逃がし用穴部１２−１を流れて下方側へ逃げる。
そして、作業者は、図５に示すように、操作体５の板部１２の下端部が油分誘導板３の上端部に到着した時点で、操作体５を停止させる。すると、操作体板部５の板部１２上の浮上油Bが、油分誘導板３の油分案内部３−１上に乗り移って油回収容器４内に自重落下して回収される。
こうして貯留槽２内の浮上油Bの油回収容器４内への回収作業が終了すると、作業者は、操作体５をもとの待機状態に戻す。なお、例えば作業者は上述のような浮上油Bの回収作業を定期的に行う。
そして、このような油回収装置１によれば、作業者が操作体５の取手部１０を持って操作体５の板部１２の排水逃がし用穴部１２−１の穴状作用により、油分誘導板３に向けて移動させた後にこの油分誘導板３と接触させた状態で上動させた場合に、排水を貯留槽２内に逃しつつ貯留槽２内の浮上油Bのみが油分誘導板３に沿って押し上げられて油回収容器４に落下回収される構成であるため、構成が簡単で、製造コストが安価であるにも拘らず、浮上油Bを油回収容器４に適切に効率的に回収することができる。
また、貯留槽２内に配設され操作体５の板部１２を案内する板部誘導案内体９を備えるため、操作体５の板部１２を油分誘導板３に向けて板部誘導案内体９に沿って適切かつスムーズにスライド移動させることができる。
さらに、操作体５の板部１２は、水平方向に並ぶ複数の排水逃し用穴部１２−１を下部のみに有するため、浮上油Bとともに排水が油回収容器４に回収されてしまうことを適切に抑制できる。
また、油分誘導板３は貯留槽２内に水平方向に対して急勾配の前上がり傾斜状に配設されるため、貯留槽２内の浮上油Bのみをより一層適切に回収することができる。
続いて作業者は図２の油回収装置１の貯留槽２の底部に、シンク等の接続管７から排水流入Aによって、油水のほかに、残査粒子Dが蓄積するので、清掃しなければならない。
油分誘導板３は、油分案内部３−１および油分誘導部３−２が一体となっており、貯留槽２から簡単に取りのぞくことができる。この結果、貯留槽２内は、図６のように浮上油Ｂが除かれた排水水面Cと残渣粒子Dのみとなり、清掃作業が簡単にできる。
貯留槽２の内部が清掃された後、油分誘導板３を、貯留槽２内に簡単に配設出来る。
【符号の説明】
【００２４】
１    油回収装置
２    貯留槽
３    油分誘導板
４    油回収容器
５    操作体
６    接続流入口
７    接続管
８    オーバーブロー排水口
９    板部誘導案内体
１０  取手部
１１  スキール棒
１２  板部
A     排水流入
B     浮上油
C     排水水面
D     残査粒子
【図１】
2011235217.tif 000003
【図２】
2011235217.tif 000004
【図３】
2011235217.tif 000005
【図４】
2011235217.tif 000006
【図５】
2011235217.tif 000007
【図６】
2011235217.tif 000008